(57)【要約】【課題】容易にメンテナンスができる開閉装置を提供する。【解決手段】開閉装置１は、上方に移動して開口部を開口させ下方に移動して開口部を閉鎖する開閉体５と、この開閉体５を案内する案内体21とを備える。案内体21は、外枠22と、この外枠22に一体に設けたガイドレール23とを有する。開閉体５の下端部の幅木部12には、係合体15を設ける。案内体21の外枠22の上端部には、開口部の開口時に係合体15と当接係合して開閉体５の上方への移動を規制する係合受け体41を脱着可能に設ける。【選択図】図３
2008196253.tif 000002
【特許請求の範囲】
【請求項１】
開移動方向に移動して開口部を開口させ、閉移動方向に移動して前記開口部を閉鎖する開閉体と、
この開閉体の閉移動方向前端部に設けられた係合体と、
前記開口部の開口時に前記係合体と係合して前記開閉体の開移動方向への移動を規制する脱着可能な係合受け体と
を備えることを特徴とする開閉装置。
【請求項２】
開閉体の移動時にこの開閉体を案内する案内体を備え、
係合受け体は、前記案内体に脱着可能に取り付けられている
ことを特徴とする請求項１記載の開閉装置。
【請求項３】
案内体は、
被取付部に取り付けられる外枠と、
この外枠に一体に設けられ、開閉体を案内するガイドレールとを有する
ことを特徴とする請求項２記載の開閉装置。
【請求項４】
開閉体は、２つの空間を仕切るものであり、
係合受け体は、前記２つの空間のいずれか一方の空間から脱着可能となっている
ことを特徴とする請求項１ないし３のいずれか一記載の開閉装置。
【請求項５】
係合受け体は、
取付ねじが挿入されるねじ用孔が形成された取付部と、
係合体と係合して開閉体の開移動方向への移動を規制する係合受け部と、
前記係合体と係合して前記開閉体の開移動方向と直交する方向への移動を規制する移動規制部と、
前記ねじ用孔に挿入された前記取付ねじの頭部に前記係合体が接触するのを避けるためのねじ頭逃し部とを有する
ことを特徴とする請求項１ないし４のいずれか一記載の開閉装置。
【請求項６】
開移動方向に移動して開口部を開口させ、閉移動方向に移動して前記開口部を閉鎖し、挿入端部を有する開閉体と、
この開閉体の閉移動方向前端部に設けられた係合体と、
前記開口部の開口時に前記係合体と係合して前記開閉体の開移動方向への移動を規制する脱着可能な係合受け体と、
前記開閉体の移動時に前記挿入端部が挿入された状態で前記開閉体を案内する案内体とを備える開閉装置のメンテナンス方法であって、
前記係合受け体を取り外した後、前記開閉体を開移動方向に移動させることにより前記挿入端部を前記案内体外に出す
ことを特徴とする開閉装置のメンテナンス方法。
【発明の詳細な説明】
【技術分野】
【０００１】
本発明は、容易にメンテナンスができる開閉装置、および開閉装置のメンテナンス方法に関するものである。
【背景技術】
【０００２】
従来、例えば開移動方向に移動して開口部を開口させ閉移動方向に移動して開口部を閉鎖する巻き取り可能な開閉体と、開閉体の閉移動方向前端部のボトムスラットに設けられた係合体と、開口部の開口時に係合体と係合して開閉体の開移動方向への移動、すなわち例えば開閉体全体の巻き込みを規制するとともに、巻き取られた状態の開閉体を収容する収容ケース体と、外枠およびガイドレールにて構成され開閉体の移動時にこの開閉体を案内する案内体とを備えた開閉装置が知られている（例えば、特許文献１参照）。
【特許文献１】特開平９−８８４５２号公報
【発明の開示】
【発明が解決しようとする課題】
【０００３】
しかしながら、上記従来の開閉装置では、例えばメンテナンス時にガイドレールを外枠から取り外さなければならず、メンテナンスに手間がかかるおそれがある。
【０００４】
本発明は、このような点に鑑みなされたもので、容易にメンテナンスができる開閉装置、および開閉装置のメンテナンス方法を提供することを目的とする。
【課題を解決するための手段】
【０００５】
請求項１記載の開閉装置は、開移動方向に移動して開口部を開口させ、閉移動方向に移動して前記開口部を閉鎖する開閉体と、この開閉体の閉移動方向前端部に設けられた係合体と、前記開口部の開口時に前記係合体と係合して前記開閉体の開移動方向への移動を規制する脱着可能な係合受け体とを備えるものである。
【０００６】
請求項２記載の開閉装置は、請求項１記載の開閉装置において、開閉体の移動時にこの開閉体を案内する案内体を備え、
係合受け体は、前記案内体に脱着可能に取り付けられているものである。
【０００７】
請求項３記載の開閉装置は、請求項２記載の開閉装置において、案内体は、被取付部に取り付けられる外枠と、この外枠に一体に設けられ、開閉体を案内するガイドレールとを有するものである。
【０００８】
請求項４記載の開閉装置は、請求項１ないし３のいずれか一記載の開閉装置において、開閉体は、２つの空間を仕切るものであり、係合受け体は、前記２つの空間のいずれか一方の空間から脱着可能となっているものである。
【０００９】
請求項５記載の開閉装置は、請求項１ないし４のいずれか一記載の開閉装置において、係合受け体は、取付ねじが挿入されるねじ用孔が形成された取付部と、係合体と係合して開閉体の開移動方向への移動を規制する係合受け部と、前記係合体と係合して前記開閉体の開移動方向と直交する方向への移動を規制する移動規制部と、前記ねじ用孔に挿入された前記取付ねじの頭部に前記係合体が接触するのを避けるためのねじ頭逃し部とを有するものである。
【００１０】
請求項６記載の開閉装置のメンテナンス方法は、開移動方向に移動して開口部を開口させ、閉移動方向に移動して前記開口部を閉鎖し、挿入端部を有する開閉体と、この開閉体の閉移動方向前端部に設けられた係合体と、前記開口部の開口時に前記係合体と係合して前記開閉体の開移動方向への移動を規制する脱着可能な係合受け体と、前記開閉体の移動時に前記挿入端部が挿入された状態で前記開閉体を案内する案内体とを備える開閉装置のメンテナンス方法であって、前記係合受け体を取り外した後、前記開閉体を開移動方向に移動させることにより前記挿入端部を前記案内体外に出すものである。
【発明の効果】
【００１１】
請求項１に係る発明によれば、開口部の開口時に係合体と係合して開閉体の開移動方向への移動を規制する係合受け体が脱着可能となっているため、容易にメンテナンスができる。
【００１２】
請求項２に係る発明によれば、開閉体の移動時にこの開閉体を案内する案内体に係合受け体が脱着可能に取り付けられているため、容易にメンテナンスができる。
【００１３】
請求項３に係る発明によれば、被取付部に取り付けられる外枠と開閉体を案内するガイドレールとが一体化されているため、案内体の構成が簡単で、施工時間の短縮化およびコスト低減等を図ることができる。
【００１４】
請求項４に係る発明によれば、係合受け体が２つの空間のいずれか一方の空間から脱着可能となっているため、例えば係合受け体を室内空間から脱着できる。
【００１５】
請求項５に係る発明によれば、係合受け体がねじ頭逃し部を有するため、取付部のねじ用孔に挿入された取付ねじの頭部と係合体との接触を避けることができる。
【００１６】
請求項６に係る発明によれば、係合受け体を取り外した後、開閉体を開移動方向に移動させることにより挿入端部を前記案内体外に出すことにより、容易にメンテナンスができる。
【発明を実施するための最良の形態】
【００１７】
本発明の開閉装置の一実施の形態を図面を参照して説明する。
【００１８】
図１ないし図４において、１は開閉装置で、この開閉装置１は、例えば住宅等の建物２に設けられた窓等の開口部３を開閉する窓用シャッタである。
【００１９】
開閉装置１は、開移動方向である上方向に移動して開口部３を開口させ、閉移動方向である下方向に移動して開口部３を閉鎖する上下方向に移動可能なシャッタカーテン等の開閉体５を備えている。
【００２０】
開閉体５は、室外空間と室内空間とを仕切るもので、図１に示されるように、左右方向に沿って配設された回転可能な略軸状の巻取体６に巻き戻し可能に巻き取られている。巻取体６は、駆動部および制御部等にて構成された開閉機７から動力を受けて回転し、この巻取体６の回転より開閉体５が昇降する。
【００２１】
開閉体５は、互いに回動可能に連結された複数のスラットにて構成された開閉体本体部11と、この開閉体本体部11の閉移動方向前端である下端に回動可能に連結され開口部３の閉鎖時に被当接部である下枠10に当接する幅木部12とを有している。幅木部12には施錠手段が設けられている。
【００２２】
そして、開閉体５の閉移動方向前端部である下端部を構成する幅木部12の左右方向両端部における室内空間側には、合成樹脂等からなる係合体15が幅木部12から室内空間側に向って突出した状態に設けられている。係合体15は、上面に水平状の係合上面16を有し、外側面に鉛直状の係合側面17を有している。
【００２３】
また、開閉装置１は、開閉体５の移動時である昇降時に、開閉体５の左右方向両端部の挿入端部5aが挿入された状態で開閉体５を上下方向に沿って案内する上下方向長手状の左右一対の案内体21を備えている。
【００２４】
案内体21は、建物２の躯体等の被取付部に取り付けられた外枠22と、この外枠22に一体に設けられ開閉体５の挿入端部5aが挿入された状態で開閉体５を上下方向に沿って案内するガイドレール23とを有している。ガイドレール23には、開口部３に向って開口し開閉体５の挿入端部5aが挿入された断面略コ字状のガイド溝部24が形成されている。ガイド溝部24は、互いに離間対向する対向板25，26にて構成されている。室外空間側の対向板25の上端部は、室外空間側に向って湾曲する湾曲部25aとなっている。
【００２５】
そして、左右一対の案内体21の下端部間にわたって下枠10が配設され、左右一対の案内体21の上端部間にわたって収容ケース体30が配設されている。収容ケース体30は、下方に向って開口する略箱状をなすもので、収容ケース体30内には、開口部３の開口時に略円筒状に巻き取られた状態の開閉体５が収容される。
【００２６】
収容ケース体30は、略円筒状に巻き取られた状態の開閉体５の上方部および前方部を覆う上ケース部材31と、略円筒状に巻き取られた状態の開閉体５の側方部を覆う側板部材32と、上ケース部材31に引っ掛けられ側板部材32から突出した下ケース被取付部33にねじ34にて脱着可能に取り付けられた下ケース部材35とを有している。なお、これら上ケース部材31、側板部材32および下ケース部材35は、鋼板等にて構成されている。
【００２７】
上ケース部材31は、引っ掛け受け部36を下端部に有し、この引っ掛け受け部36は、上ケース部材31の下端縁が鋭角に折り曲げられて形成されている。下ケース部材35は、上方から引っ掛け受け部36に引っ掛ける引っ掛け部37を上端部に有し、この引っ掛け部37は、引っ掛け受け部36に対応して下ケース部材35の上端縁が鋭角に折り曲げられて形成されている。そして、下ケース部材35は、引っ掛け部37が上ケース部材31の引っ掛け受け部36に引っ掛けられ、かつ下方に引っ張られることで引っ掛け部37および引っ掛け受け部36がやや弾性変形した状態で、側板部材32の下ケース被取付部33に対してねじ34にて取り付けられている。このため、上ケース部材31の引っ掛け受け部36と下ケース部材35の引っ掛け部37との引っ掛りが外れにくくなっている。
【００２８】
さらに、開閉装置１は、開口部３の開口時に、開閉体５の下端に位置する係合体15との当接係合により、開閉体５の上方への移動を規制して開閉体５の幅木部12が収容ケース体30内に巻き込まれるのを防止する戸当り受け等の係合受け体41を備えている。係合受け体41は、合成樹脂やゴム材料等にて一体に構成され、各案内体21の外枠22の上端部の内面側に断面コ字状の取付部材42を介して脱着可能に取り付けられている。この係合受け体41は、開口部３の閉鎖時には案内体21の外枠22に対して室内空間からのみ脱着可能となっている。なお、左右一対の案内体21の各々に係合受け体41が取付部材42を介して取り付けられているが、左側の係合受け体41と右側の係合受け体41とは、左右対称の形状に形成されている。
【００２９】
ここで、取付部材42は、例えば金属製の戸当り受け固定金具等で、図５および図６にも示すように、互いに離間対向する上下方向やや長手状の一対の対向板部43，44と、これら両対向板部43，44同士を連結する連結板部45とを有している。一方の対向板部43が固着具であるリベット46にて案内体21の外枠22の上端部の内面側に固着され、連結板部45がガイドレール23のガイド溝部24の対向板26に近接状に対向している。他方の対向板部44には、複数の孔部47が上下方向に等間隔をおいて並設されている。そして、２つの孔部47に対して取付ねじ48が螺合されることによって係合受け体41が取付部材42に脱着可能に取り付けられている。
【００３０】
係合受け体41は、取付ねじ48が挿入される上下２つのねじ用孔50が形成された鉛直板状の取付部51を有している。取付部51の下端部には、水平板状の底部52が設けられている。底部52の上面には凸条部53が突設され、この凸条部53と取付部51との間に取付部材42の対向板部44の下端部が挿入されている。
【００３１】
また、取付部51の側端部には、取付部材42の開口42aを覆う鉛直板状の覆い部55が取付部51に対して直交状に設けられている。
【００３２】
さらに、取付部51の上端部には、係合体15の係合側面17と当接係合して開閉体５の開移動方向と直交する方向である左右いずれか一方向への移動を規制する鉛直板状の移動規制部56が取付部51に対して平行状に設けられている。移動規制部56は取付部51より肉厚に形成され、この移動規制部56には孔部57が形成されている。移動規制部56は、係合体15の係合側面17と当接する鉛直状の移動規制面58を取付部材42側とは反対側の面に有している。また、移動規制部56の下部には、開閉体５の下降時において、ねじ用孔50に挿入された取付ねじ48の頭部48aに係合体15の係合側面17が接触するのを避けるためのねじ頭逃し部59が設けられている。このねじ頭逃し部59は、下端ほど取付部材42側に位置するように鉛直方向に対してやや傾斜した傾斜面60にて構成されている。
【００３３】
また、移動規制部56の上端部には、係合体15の係合上面16と当接係合して開閉体５の上方への移動を規制する水平板状の係合受け部61が移動規制部56に対して直交状に設けられている。係合受け部61は、係合体15の係合上面16と当接する水平状の係合受け面62を下面に有している。係合受け部61と移動規制部56とは略三角形状で鉛直板状の補強部63にて連結されている。
【００３４】
次に、上記開閉装置１の作用等を説明する。
【００３５】
開口部３を閉鎖する場合、開閉機７が作動して巻取体６が回転すると、開閉体５が巻取体６から巻き戻されて下降する。開閉体５はその下端部の幅木部12が下枠10に当接するまで下降し、この下降して平面状になった開閉体５にて開口部３が閉鎖される。
【００３６】
一方、開口部３を開口させる場合、開閉機７が作動して巻取体６が回転すると、開閉体５が巻取体６に巻き取られて上昇する。開閉体５は係合体15が係合受け体41に当接するまで上昇し、この上昇して巻き取られて略円筒状になった開閉体本体部11が収容ケース体30内に収容される（図１参照）。
【００３７】
そして、開閉装置１のメンテナンスを行う場合には、開口部３を開口させた状態で、ねじ34を外し、下ケース部材35を上ケース部材31および側板部材32から取り外す。
【００３８】
次いで、取付ねじ48を外した後、係合受け体41を取付部材42から取り外す。すなわち、係合受け体41を案内体21の上端部から取り外す。
【００３９】
その後、開閉体５の幅木部12を所望量だけ一旦上方に持ち上げて移動させることにより、開閉体５の左右の挿入端部5a全体を左右の案内体21内から案内体21外に出す（図３および図４参照）、そして開閉体５等のメンテナンスを行う。なお、係合受け体41が損傷等した場合には、係合受け体41のみ新たなものに交換することも可能である。
【００４０】
メンテナンス終了後には、開閉体５の挿入端部5aを案内体21内に挿入した後、取付ねじ48を用いて係合受け体41を取付部材42に取り付け、その後、ねじ34を用いて下ケース部材35を取り付ける。
【００４１】
そして、開閉装置１によれば、開口部３の開口時に係合体15と係合して開閉体５の開移動方向への移動を規制する係合受け体41が、案内体21に対して脱着可能となっているため、従来のようにガイドレールを外枠から取り外さなければならない場合に比べて、容易にメンテナンスができる。また、係合受け体41を室内空間から脱着でき、これにより係合受け体41が破損や経年劣化によって交換が必要となった場合でも安全に交換作業ができる。
【００４２】
また、外枠22とガイドレール23とが一体化されているため、案内体21の構成がきわめて簡単で、施工時間の短縮化およびコスト低減等を図ることができる。
【００４３】
さらに、係合受け体41が傾斜面60にて構成されたねじ頭逃し部59を有するため、開閉体５の下降時に係合体15の係合側面17が取付ねじ48の頭部48aに接触するのを避けることができ、開閉体５をスムーズに下降させることができる。
【００４４】
なお、上記実施の形態では、係合受け体41を取付部材42を介して案内体21に脱着可能に取り付けた構成について説明したが、例えば係合受け体41を取付部材42を介さずに案内体21に脱着可能に直接取り付けた構成でもよく、また例えば係合受け体41を収容ケース体30の下面部に脱着可能に取り付けた構成等でもよい。
【００４５】
また、例えば開口部３の幅寸法が大きい場合に用いられる脱着可能な案内体である中柱の上端部に、係合受け体41を脱着可能に取り付けた構成等でもよい。
【００４６】
さらに、案内体21は外枠22とガイドレール23とサッシ枠とを一体化したもの等でもよい。
【００４７】
また、係合受け体41が案内体21に対して高さ位置を調整できるようにしてもよい。
【００４８】
さらに、開閉装置１は、窓用シャッタ以外に、ガレージ用シャッタ装置、店舗用シャッタ装置、ブラインド装置、スクリーン装置等、或いはこれら装置のうちの同種または異種を複数並設したものでもよい。
【００４９】
また、開閉装置１は、開口部３の閉鎖時に開閉体５の幅木部12が下枠10に当接する構成には限定されず、例えば下枠を設けず、幅木部12を床面等の建物の躯体側に直接当接させる構成等でもよい。
【００５０】
さらに、開閉体５の移動方向は上下方向には限定されず、上下方向に対して傾斜した傾斜方向や、水平方向等でもよい。
【図面の簡単な説明】
【００５１】
【図１】本発明の一実施の形態に係る開閉装置の縦断面図である。
【図２】同上開閉装置の要部平面図である。
【図３】同上開閉装置の開閉体の幅木部を案内体外に出した状態の側面図である。
【図４】同上開閉体の幅木部を案内体外に出した状態の平面図である。
【図５】同上開閉装置の係合受け体および取付部材の斜視図である。
【図６】同上係合受け体および取付部材の正面図である。
【符号の説明】
【００５２】
１    開閉装置
３    開口部
５    開閉体
5a    挿入端部
15    係合体
21    案内体
22    外枠
23    ガイドレール
41    係合受け体
48    取付ねじ
48a    頭部
50    ねじ用孔
51    取付部
56    移動規制部
59    ねじ頭逃し部
61    係合受け部
【図１】
2008196253.tif 000003
【図２】
2008196253.tif 000004
【図３】
2008196253.tif 000005
【図４】
2008196253.tif 000006
【図５】
2008196253.tif 000007
【図６】
2008196253.tif 000008